(57)【特許請求の範囲】
【請求項１】
放送電波を受信する放送受信機能付き携帯端末装置であって、
放送電波を受信して記録可能な外部機器としての放送記録装置宛に放送内容の記録を指示する指示情報を発信出力する発信手段と、
この発信手段から発信される指示情報を記憶管理する指示情報記憶手段と、
前記放送記録装置に接続されたことを検出した際に、前記指示情報記憶手段を参照して指示情報の有無を判別する判別手段と、
この判別手段によって指示情報が有ることが判別された場合に、前記放送記録装置宛にその指示情報に対応する記録内容の出力を要求したのち、前記放送記録装置からの記録内容を再生出力すると共に、当該指示情報を再生済みとして処理する再生手段と、を具備し、
前記指示情報に対応してその記録内容が処理済みであるか未処理であるかを示す識別情報を記憶管理している状態において、前記放送記録装置に接続されたことが検出された際に、当該記録内容が未処理であることを条件に前記放送記録装置に出力要求を行う、
ことを特徴とする放送受信機能付き携帯端末装置。
【請求項２】
放送電波を受信する放送受信機能付き携帯端末装置であって、
放送電波を受信して記録可能な外部機器としての放送記録装置宛に放送内容の記録を指示する指示情報を発信出力する発信手段と、
この発信手段から発信される指示情報を記憶管理する指示情報記憶手段と、
前記放送記録装置に接続されたことを検出した際に、前記指示情報記憶手段を参照して指示情報の有無を判別する判別手段と、
この判別手段によって指示情報が有ることが判別された場合に、前記放送記録装置宛にその指示情報に対応する記録内容の出力を要求したのち、前記放送記録装置からの記録内容を再生出力すると共に、当該指示情報を再生済みとして処理する再生手段と、を具備し、
装置本体を構成する複数の筐体の位置関係に応じて装置本体の形態を複数のスタイルに変更可能であって、
前記放送記録装置に接続されたことが検出された際に、前記装置本体が、当該装置本体に設けられた表示部を視認可能なビュースタイルにセットされているか否かを判別し、このビュースタイルであれば、前記放送記録装置からの記録内容を再生出力し、それ以外のスタイルであれば、前記放送記録装置に対して記録内容の再生を要求する、
ことを特徴とする放送受信機能付き携帯端末装置。
【請求項３】
放送電波を受信する放送受信機能付き携帯端末装置であって、
放送電波を受信して記録可能な外部機器としての放送記録装置宛に放送内容の記録を指示する指示情報を発信出力する発信手段と、
この発信手段から発信される指示情報を記憶管理する指示情報記憶手段と、
前記放送記録装置に接続されたことを検出した際に、前記指示情報記憶手段を参照して指示情報の有無を判別する判別手段と、
この判別手段によって指示情報が有ることが判別された場合に、前記放送記録装置宛にその指示情報に対応する記録内容の出力を要求したのち、前記放送記録装置からの記録内容を再生出力すると共に、当該指示情報を再生済みとして処理する再生手段と、を具備し、
前記指示情報によって現在放送受信中の番組内容の記録を指示したのちに、この番組の放送中にその受信終了が指示された場合には、この終了指示以降の記録内容の出力を要求する、
ことを特徴とする放送受信機能付き携帯端末装置。
【請求項４】
放送電波を受信する放送受信機能付き携帯端末装置であって、
放送電波を受信して記録可能な外部機器としての放送記録装置宛に放送内容の記録を指示する指示情報を発信出力する発信手段と、
この発信手段から発信される指示情報を記憶管理する指示情報記憶手段と、
前記放送記録装置に接続されたことを検出した際に、前記指示情報記憶手段を参照して指示情報の有無を判別する判別手段と、
この判別手段によって指示情報が有ることが判別された場合に、前記放送記録装置宛にその指示情報に対応する記録内容の出力を要求したのち、前記放送記録装置からの記録内容を再生出力すると共に、当該指示情報を再生済みとして処理する再生手段と、を具備し、
放送番組表を受信記憶している状態において、この放送番組表を参照することによって同じ放送番組の内容をその最後まで継続出力したか否かを判別した結果、その番組内容を最後まで継続出力した場合には、当該番組内容に対応する指示情報を無効とする、
ことを特徴とする放送受信機能付き携帯端末装置。
【請求項５】
前記未処理の記録内容を再生するか否かを問い合わせる確認メッセージを出力したのち、未処理の記録内容が任意に選択されたことを条件に前記放送記録装置に当該記録内容の出力要求を行う、
ようにしたことを特徴とする請求項１から４のいずれか一項に記載の放送受信機能付き携帯端末装置。
【請求項６】
放送番組表を受信記憶している状態において、現在放送受信中の番組内容の記録を指示する際に、この放送番組表から取得した当該番組の終了時刻を前記指示情報に付加して発信する、
ようにしたことを特徴とする請求項１から４のいずれか一項に記載の放送受信機能付き携帯端末装置。
【請求項７】
前記発信手段は、ユーザ操作によって放送内容の記録が指示された際、同じ放送番組の内容を所定時間継続出力した際、及び放送番組の受信出力中に通話着信を割込み受信した際のうち、少なくともその何れかのタイミングで前記指示情報を発信出力し、
前記指示情報は、記録対象である放送内容を特定するための放送識別情報のほかに、その指示元として自己の端末識別情報を含む記録指示情報であり、
前記指示情報によって現在放送受信中の番組内容の記録を指示したのちに、この番組の放送中にその記録中止がユーザ操作によって指示された際に、前記放送記録装置宛にその記録終了を指示する、
ようにしたことを特徴とする請求項１から４のいずれか一項に記載の放送受信機能付き携帯端末装置。
【請求項８】
コンピュータを、
放送電波を受信して記録可能な外部機器としての放送記録装置宛に放送内容の記録を指示する指示情報を発信出力する発信手段と、
この発信手段から発信される指示情報を記憶管理する指示情報記憶手段と、
前記放送記録装置に接続されたことを検出した際に、前記指示情報記憶手段を参照して指示情報の有無を判別する判別手段と、
この判別手段によって指示情報が有ることが判別された場合に、前記放送記録装置宛にその指示情報に対応する記録内容の出力を要求したのち、前記放送記録装置からの記録内容を再生出力すると共に、当該指示情報を再生済みとして処理する手段と、して機能させ、
前記指示情報に対応してその記録内容が処理済みであるか未処理であるかを示す識別情報を記憶管理している状態において、前記放送記録装置に接続されたことが検出された際に、当該記録内容が未処理であることを条件に前記放送記録装置に出力要求を行う、
ことを特徴とするプログラム。
【請求項９】
コンピュータを、
放送電波を受信して記録可能な外部機器としての放送記録装置宛に放送内容の記録を指示する指示情報を発信出力する発信手段と、
この発信手段から発信される指示情報を記憶管理する指示情報記憶手段と、
前記放送記録装置に接続されたことを検出した際に、前記指示情報記憶手段を参照して指示情報の有無を判別する判別手段と、
この判別手段によって指示情報が有ることが判別された場合に、前記放送記録装置宛にその指示情報に対応する記録内容の出力を要求したのち、前記放送記録装置からの記録内容を再生出力すると共に、当該指示情報を再生済みとして処理する手段と、して機能させ、
装置本体を構成する複数の筐体の位置関係に応じて装置本体の形態を複数のスタイルに変更可能な携帯端末装置が前記放送記録装置に接続されたことが検出された際に、前記装置本体が、当該装置本体に設けられた表示部を視認可能なビュースタイルにセットされているか否かを判別し、このビュースタイルであれば、前記放送記録装置からの記録内容を再生出力するように前記携帯端末装置を制御し、それ以外のスタイルであれば、前記放送記録装置に対して記録内容の再生を要求する、
ことを特徴とするプログラム。
【請求項１０】
コンピュータを、
放送電波を受信して記録可能な外部機器としての放送記録装置宛に放送内容の記録を指示する指示情報を発信出力する発信手段と、
この発信手段から発信される指示情報を記憶管理する指示情報記憶手段と、
前記放送記録装置に接続されたことを検出した際に、前記指示情報記憶手段を参照して指示情報の有無を判別する判別手段と、
この判別手段によって指示情報が有ることが判別された場合に、前記放送記録装置宛にその指示情報に対応する記録内容の出力を要求したのち、前記放送記録装置からの記録内容を再生出力すると共に、当該指示情報を再生済みとして処理する手段と、して機能させ、
前記指示情報によって現在放送受信中の番組内容の記録を指示したのちに、この番組の放送中にその受信終了が指示された場合には、この終了指示以降の記録内容の出力を要求する、
ことを特徴とするプログラム。
【請求項１１】
コンピュータを、
放送電波を受信して記録可能な外部機器としての放送記録装置宛に放送内容の記録を指示する指示情報を発信出力する発信手段と、
この発信手段から発信される指示情報を記憶管理する指示情報記憶手段と、
前記放送記録装置に接続されたことを検出した際に、前記指示情報記憶手段を参照して指示情報の有無を判別する判別手段と、
この判別手段によって指示情報が有ることが判別された場合に、前記放送記録装置宛にその指示情報に対応する記録内容の出力を要求したのち、前記放送記録装置からの記録内容を再生出力すると共に、当該指示情報を再生済みとして処理する手段と、して機能させ、
放送番組表を受信記憶している状態において、この放送番組表を参照することによって同じ放送番組の内容をその最後まで継続出力したか否かを判別した結果、その番組内容を最後まで継続出力した場合には、当該番組内容に対応する指示情報を無効とする、
ことを特徴とするプログラム。
【発明の詳細な説明】
【技術分野】
【０００１】
この発明は、放送電波を受信する放送受信機能付き携帯端末装置及びプログラムに関する。
【背景技術】
【０００２】
従来、遠隔操作によってテレビ放送番組を録画可能な技術としては、例えば、自宅に設置されているクレードル（充電台）に対して携帯電話装置を利用して外出先からテレビ放送番組の録画予約を可能として技術が知られている（特許文献１参照）。この場合、クレードルは、携帯電話装置が装着されると、その録画内容を携帯電話装置に自動転送してその携帯画面に表示出力させるようにしている。
【特許文献１】特開２００６−４１９０５号公報
【発明の開示】
【発明が解決しようとする課題】
【０００３】
しかしながら、この先行技術にあっては、録画予約を行った携帯電話装置がクレードルに装着されているか否かに拘らず、現在装着されている携帯電話装置に録画内容を転送するようにしているため、１台のクレードルを複数の携帯電話で共用しているような場合には、録画予約をしていない携帯電話に対しても録画内容を転送してしまうことになる。つまり、本来、録画予約したユーザ以外のユーザに録画内容が転送されてしまうという問題があった。また、クレードルを個人が専用使用している場合において、複数の番組が録画されていれば、再生済みであるか否かに拘らず、その全ての録画内容が転送されるため、無駄な転送を行ってしまう。
このことは、録画機能付きのクレードルに限らず、ハードディスク／ＤＶＤなどのレコーダあるいはレコーダ機能付きテレビ受信機においても同様であった。
【０００４】
この発明の課題は、放送記録装置に対して放送内容の記録を指示した携帯端末装置をその放送記録装置に装着（接続）することで、当該端末装置自体がその記録内容の出力を要求して再生できるようにすることである。
【課題を解決するための手段】
【０００５】
上記目的を達成するため、本発明の第一の観点に係る携帯端末装置は、
放送電波を受信する放送受信機能付き携帯端末装置であって、
放送電波を受信して記録可能な外部機器としての放送記録装置宛に放送内容の記録を指示する指示情報を発信出力する発信手段と、
この発信手段から発信される指示情報を記憶管理する指示情報記憶手段と、
前記放送記録装置に接続されたことを検出した際に、前記指示情報記憶手段を参照して指示情報の有無を判別する判別手段と、
この判別手段によって指示情報が有ることが判別された場合に、前記放送記録装置宛にその指示情報に対応する記録内容の出力を要求したのち、前記放送記録装置からの記録内容を再生出力すると共に、当該指示情報を再生済みとして処理する再生手段と、を具備し、
前記指示情報に対応してその記録内容が処理済みであるか未処理であるかを示す識別情報を記憶管理している状態において、前記放送記録装置に接続されたことが検出された際に、当該記録内容が未処理であることを条件に前記放送記録装置に出力要求を行う、
ことを特徴とする。
【０００６】
上記目的を達成するため、本発明の第二の観点に係る携帯端末装置は、
放送電波を受信する放送受信機能付き携帯端末装置であって、
放送電波を受信して記録可能な外部機器としての放送記録装置宛に放送内容の記録を指示する指示情報を発信出力する発信手段と、
この発信手段から発信される指示情報を記憶管理する指示情報記憶手段と、
前記放送記録装置に接続されたことを検出した際に、前記指示情報記憶手段を参照して指示情報の有無を判別する判別手段と、
この判別手段によって指示情報が有ることが判別された場合に、前記放送記録装置宛にその指示情報に対応する記録内容の出力を要求したのち、前記放送記録装置からの記録内容を再生出力すると共に、当該指示情報を再生済みとして処理する再生手段と、を具備し、
装置本体を構成する複数の筐体の位置関係に応じて装置本体の形態を複数のスタイルに変更可能であって、
前記放送記録装置に接続されたことが検出された際に、前記装置本体が、当該装置本体に設けられた表示部を視認可能なビュースタイルにセットされているか否かを判別し、このビュースタイルであれば、前記放送記録装置からの記録内容を再生出力し、それ以外のスタイルであれば、前記放送記録装置に対して記録内容の再生を要求する、
ことを特徴とする。
【０００７】
上記目的を達成するため、本発明の第三の観点に係る携帯端末装置は、
放送電波を受信する放送受信機能付き携帯端末装置であって、
放送電波を受信して記録可能な外部機器としての放送記録装置宛に放送内容の記録を指示する指示情報を発信出力する発信手段と、
この発信手段から発信される指示情報を記憶管理する指示情報記憶手段と、
前記放送記録装置に接続されたことを検出した際に、前記指示情報記憶手段を参照して指示情報の有無を判別する判別手段と、
この判別手段によって指示情報が有ることが判別された場合に、前記放送記録装置宛にその指示情報に対応する記録内容の出力を要求したのち、前記放送記録装置からの記録内容を再生出力すると共に、当該指示情報を再生済みとして処理する再生手段と、を具備し、
前記指示情報によって現在放送受信中の番組内容の記録を指示したのちに、この番組の放送中にその受信終了が指示された場合には、この終了指示以降の記録内容の出力を要求する、
ことを特徴とする。
【０００８】
上記目的を達成するため、本発明の第四の観点に係る携帯端末装置は、
放送電波を受信する放送受信機能付き携帯端末装置であって、
放送電波を受信して記録可能な外部機器としての放送記録装置宛に放送内容の記録を指示する指示情報を発信出力する発信手段と、
この発信手段から発信される指示情報を記憶管理する指示情報記憶手段と、
前記放送記録装置に接続されたことを検出した際に、前記指示情報記憶手段を参照して指示情報の有無を判別する判別手段と、
この判別手段によって指示情報が有ることが判別された場合に、前記放送記録装置宛にその指示情報に対応する記録内容の出力を要求したのち、前記放送記録装置からの記録内容を再生出力すると共に、当該指示情報を再生済みとして処理する再生手段と、を具備し、
放送番組表を受信記憶している状態において、この放送番組表を参照することによって同じ放送番組の内容をその最後まで継続出力したか否かを判別した結果、その番組内容を最後まで継続出力した場合には、当該番組内容に対応する指示情報を無効とする、
ことを特徴とする。
【０００９】
また、本発明の第一から第四の観点に係る携帯端末装置において、
前記未処理の記録内容を再生するか否かを問い合わせる確認メッセージを出力したのち、未処理の記録内容が任意に選択されたことを条件に前記放送記録装置に当該記録内容の出力要求を行うようにしても良い。
さらに、本発明の第一から第四の観点に係る携帯端末装置において、
放送番組表を受信記憶している状態において、現在放送受信中の番組内容の記録を指示する際に、この放送番組表から取得した当該番組の終了時刻を前記指示情報に付加して発信しても良い。
またさらに、本発明の第一から第四の観点に係る携帯端末装置において、
前記発信手段は、ユーザ操作によって放送内容の記録が指示された際、同じ放送番組の内容を所定時間継続出力した際、及び放送番組の受信出力中に通話着信を割込み受信した際のうち、少なくともその何れかのタイミングで前記指示情報を発信出力し、
前記指示情報は、記録対象である放送内容を特定するための放送識別情報のほかに、その指示元として自己の端末識別情報を含む記録指示情報であり、
前記指示情報によって現在放送受信中の番組内容の記録を指示したのちに、この番組の放送中にその記録中止がユーザ操作によって指示された際に、前記放送記録装置宛にその記録終了を指示するようにしても良い。
【００１０】
上記目的を達成するため、本発明の第五の観点に係るプログラムは、
コンピュータを、
放送電波を受信して記録可能な外部機器としての放送記録装置宛に放送内容の記録を指示する指示情報を発信出力する発信手段と、
この発信手段から発信される指示情報を記憶管理する指示情報記憶手段と、
前記放送記録装置に接続されたことを検出した際に、前記指示情報記憶手段を参照して指示情報の有無を判別する判別手段と、
この判別手段によって指示情報が有ることが判別された場合に、前記放送記録装置宛にその指示情報に対応する記録内容の出力を要求したのち、前記放送記録装置からの記録内容を再生出力すると共に、当該指示情報を再生済みとして処理する手段と、して機能させ、
前記指示情報に対応してその記録内容が処理済みであるか未処理であるかを示す識別情報を記憶管理している状態において、前記放送記録装置に接続されたことが検出された際に、当該記録内容が未処理であることを条件に前記放送記録装置に出力要求を行う、
ことを特徴とする。
【００１１】
上記目的を達成するため、本発明の第六の観点に係るプログラムは、
コンピュータを、
放送電波を受信して記録可能な外部機器としての放送記録装置宛に放送内容の記録を指示する指示情報を発信出力する発信手段と、
この発信手段から発信される指示情報を記憶管理する指示情報記憶手段と、
前記放送記録装置に接続されたことを検出した際に、前記指示情報記憶手段を参照して指示情報の有無を判別する判別手段と、
この判別手段によって指示情報が有ることが判別された場合に、前記放送記録装置宛にその指示情報に対応する記録内容の出力を要求したのち、前記放送記録装置からの記録内容を再生出力すると共に、当該指示情報を再生済みとして処理する手段と、して機能させ、
装置本体を構成する複数の筐体の位置関係に応じて装置本体の形態を複数のスタイルに変更可能な携帯端末装置が前記放送記録装置に接続されたことが検出された際に、前記装置本体が、当該装置本体に設けられた表示部を視認可能なビュースタイルにセットされているか否かを判別し、このビュースタイルであれば、前記放送記録装置からの記録内容を再生出力するように前記携帯端末装置を制御し、それ以外のスタイルであれば、前記放送記録装置に対して記録内容の再生を要求する、
ことを特徴とする。
【００１２】
上記目的を達成するため、本発明の第七の観点に係るプログラムは、
コンピュータを、
放送電波を受信して記録可能な外部機器としての放送記録装置宛に放送内容の記録を指示する指示情報を発信出力する発信手段と、
この発信手段から発信される指示情報を記憶管理する指示情報記憶手段と、
前記放送記録装置に接続されたことを検出した際に、前記指示情報記憶手段を参照して指示情報の有無を判別する判別手段と、
この判別手段によって指示情報が有ることが判別された場合に、前記放送記録装置宛にその指示情報に対応する記録内容の出力を要求したのち、前記放送記録装置からの記録内容を再生出力すると共に、当該指示情報を再生済みとして処理する手段と、して機能させ、
前記指示情報によって現在放送受信中の番組内容の記録を指示したのちに、この番組の放送中にその受信終了が指示された場合には、この終了指示以降の記録内容の出力を要求する、
ことを特徴とする。
【００１３】
上記目的を達成するため、本発明の第八の観点に係るプログラムは、
コンピュータを、
放送電波を受信して記録可能な外部機器としての放送記録装置宛に放送内容の記録を指示する指示情報を発信出力する発信手段と、
この発信手段から発信される指示情報を記憶管理する指示情報記憶手段と、
前記放送記録装置に接続されたことを検出した際に、前記指示情報記憶手段を参照して指示情報の有無を判別する判別手段と、
この判別手段によって指示情報が有ることが判別された場合に、前記放送記録装置宛にその指示情報に対応する記録内容の出力を要求したのち、前記放送記録装置からの記録内容を再生出力すると共に、当該指示情報を再生済みとして処理する手段と、して機能させ、
放送番組表を受信記憶している状態において、この放送番組表を参照することによって同じ放送番組の内容をその最後まで継続出力したか否かを判別した結果、その番組内容を最後まで継続出力した場合には、当該番組内容に対応する指示情報を無効とする、
ことを特徴とする。
【発明の効果】
【００１５】
この発明は、携帯端末装置から放送記録装置に対して放送内容の記録を指示した際に当該端末装置側でその指示情報を記憶保持しておき、この端末装置をその放送記録装置に接続するだけで、当該端末装置自体がその指示情報を元に対応する記録内容の出力を要求して再生することで、携帯電話装置の主導のもとで記録内容の再生を制御することができ、操作性、確実性を高めることが可能となる。
【発明を実施するための最良の形態】
【００１６】
以下、図１〜図１１を参照して本発明の実施例を説明する。
この実施例は、携帯端末装置として携帯電話装置に適用した場合を例示したもので、図１は、この携帯電話装置の基本的な構成要素を示したブロック図である。
この携帯電話装置は、装置本体を構成する２つの筐体の配置状態に応じて装置本体の形態を４つのスタイルに変更可能な折畳・回転型（２軸回転型）の携帯電話装置であり、通話機能、電子メール機能、インターネット接続機能（Ｗｅｂアクセス機能）のほか、テレビ放送電波を受信するテレビ放送受信機能などを備えられている。
【００１７】
ＣＰＵ１は、記憶部２内の各種のプログラムに応じてこの携帯電話装置の全体動作を制御する中核的な中央演算処理装置であり、このメインＣＰＵ１のほか、この携帯電話装置には、例えば、映像、音声データの受送信機能、受信映像の再生機能などの機能別に、複数のサブＣＰＵ（図示せず）を有する構成となっている。記憶部２は、不揮発性メモリ(内部メモリ)であり、例えば、フラッシュメモリなどによって構成され、プログラム領域とデータ領域とを有し、このプログラム領域には、後述する図５〜図８に示す動作手順に応じて本実施例を実現するためのプログラムが格納され、また、そのデータ領域には、後述する指示情報テーブルＩＮＴが設けられている。
【００１８】
記録メディア３は、着脱自在な可搬型メモリで、各種のデータ・プログラムを外部供給するもので、例えば、スマートメディア、ＩＣカードなどによって構成されている。メモリ４は、ワーク領域を有する内部メモリで、例えば、ＤＲＡＭ、ＳＤＲＡＭ（Synchronous DRAM）などによって構成され、必要に応じてメモリ４内の各種のデータは、記憶部２にセーブされる。電話通信部５は、無線部を構成するアンテナ５Ａに接続された送受信部（ベースバンド部）の受信側から信号を取り込んで受信ベースバンド信号に復調したのちに、音声制御部６を介して音声スピーカ７から音声出力させる。また、電話通信部５は、音声マイク８から入力された音声データを音声制御部６から取り込み、送信ベースバンド信号に符号化したのちに送受信部の送信側に与えられてアンテナ５Ａから発信出力させる。
【００１９】
電子メール機能、インターネット接続機能によって電話通信部５を介して受信取得した表示データは、表示制御部９を介してＬＣＤ（液晶表示装置）などのメイン表示部１０に与えられて表示出力される。サブ表示部１１は現在日時、簡易なメッセージ、アイコンなどを表示する。キー操作部１２は、ダイヤル入力、文字入力、コマンド入力などを行うもので、テレビ機能用としてテレビＯＮ／ＯＦＦキー、チャンネル切り替えキー、テレビ放送の録画を指示する録画開始キー、録画中止キーなどを有している。なお、テレビ機能用の各キーは、メイン表示部１０のテレビ画面上に配置したタッチキーであってもよい。
【００２０】
テレビ放送受信チューナ１３は、携帯電話などの携帯受信機向けの地上波デジタルテレビ放送を受信するもので、テレビ映像及び音声情報以外にも電子番組表(ＥＰＧ)なども含めて受信可能である。テレビ放送受信チューナ１３は、ＴＶアンテナに接続されている受信部と、受信したテレビ放送を映像信号、音声信号に分離する増幅分離部と、圧縮データを解凍するデコード部などを有する構成となっており、このテレビ受信チューナ１３から出力されたテレビ映像信号は、メイン表示部１０から表示出力され、また、テレビ音声信号は、内蔵スピーカ（高音圧スピーカ）１４から出力される。なお、テレビ放送受信チューナ１３の小型化などを図るためにＯＦＤＭ（直交周波数分割多重）復調器を接続するようにしてもよい。
【００２１】
ＲＴＣ（リアルタイムクロックモジュール）１５は、時計部を構成するもので、ＣＰＵ１は、ＲＴＣ１５から現在日時を取得する。充電接続部１６は、後述するクレードル２０に装着（接続）された際に、クレードル２０からの充電電流によって二次電池（図示せず）を充電するもので、ＣＰＵ１は、充電接続部１６から出力される充電検出信号に基づいて装置本体がクレードル２０に装着（接続）されているか否かを検出するようにしている。
【００２２】
スタイル検出センサ１７、１８は、２軸回転型の装置本体を構成する２つの筐体（表示部側筐体、操作部側筐体）の配置状態に応じて変化する各スタイルを検出可能なもので、スタイル検出センサ（開閉検出センサ）１７は、２つの筐体の開閉状態を検出する磁気センサあるいはマイクロスイッチなどであり、その開閉状態に応じた検出信号を出力してＣＰＵ１に与える。スタイル検出センサ（回転検出センサ）１８は、表示部側筐体の回転状態を検出する磁気センサあるいはマイクロスイッチなどであり、その回転の向きに応じた検出信号を出力してＣＰＵ１に与える。ＣＰＵ１は、スタイル検出センサ１７、１８からの各検出信号に基づいて装置本体の各スタイルを判別するようにしている。
【００２３】
図２は、携帯電話装置１００をクレードル２００に装着することによってクレードル２００を介してテレビ受信レコーダ２０１に接続した状態を示した図である。
クレードル２００は、ＡＣ電源に接続されている状態において携帯電話装置１００が装着（載置）された際に、携帯電話装置１００の二次電池（図示せず）に対して充電電流を供給する充電機能、ＣＰＵ、記憶部などのほか、遠隔の携帯電話装置１００から発信出力された録画開始指示情報（指示メール）を移動体通信網、インターネットを介して受信可能なメール受信機能を有し、受信した指示情報に含まれている指示内容を認識し、その指示内容に応じた処理を実行するようにしたインテリジェント・クレードルである。なお、このクレードル２００は、テレビ受信レコーダ２０１にケーブル接続されている。
【００２４】
この場合、クレードル２００は、携帯電話装置１００が装着されている状態において、携帯電話装置１００からの指示内容が再生指示であれば、それに応答してテレビ受信レコーダ２０１に対して録画内容の転送要求を与え、この転送要求に応答してテレビ受信レコーダ２０１から転送された録画内容を携帯電話装置１００に送信するようにしている。テレビ受信レコーダ２０１は、放送記録装置を構成するもので、例えば、自宅に設置されているハードディスク／ＤＶＤレコーダであり、高画質、高音質のデジタル放送（ハイビジョン放送）を受信可能なテレビ放送受信チューナを備えたもので、このテレビ受信レコーダ２０１にはＴＶ（テレビ）視聴装置２０２が接続されている。なお、この実施例の放送記録装置は、クレードル２００付きのテレビ受信レコーダ２０１を示している。
【００２５】
この場合、ＣＰＵ１は、クレードル２００に装着されているときの装置本体のスタイルに応じてクレードル２００に対して録画内容の転送を要求したり、ＴＶ視聴装置２０２側での再生を指示するようにしている。なお、装置本体は、２つの筐体（キー操作部側筐体、表示部側筐体）の配置状態に応じて４つのスタイルに変更可能なもので、キー操作部側筐体、表示部側筐体を重ね合わせた状態（正転クローズスタイル）、このタイルから表示部側筐体を開いた状態（正転オープンスタイルあるいはノーマルスタイル）、このスタイルから表示部側筐体を１８０°回転させた状態（反転オープンスタイル）と、このスタイルから表示部側筐体を閉じた状態（ビュースタイル）に変更可能なもので、図示の例では、「ビュースタイル」で装着した状態を示している。
【００２６】
図３は、指示情報テーブルＩＮＴの内容を示した図である。
指示情報テーブルＩＮＴは、携帯電話装置１００から録画指示情報をクレードル２００に対して送信する毎に、携帯電話装置１００側で当該指示情報を記憶保持するもので、その各指示レコードは、「端末ＩＤ」、「チャンネル」、「開始時刻」、「終了時刻」、「番組名」、「処理済みフラグ」、「中止時刻」の各項目を有している。「端末ＩＤ」は、予め設定されている自己の端末Ｎｏ（例えば、一連番号）であり、「チャンネル」は、録画対象のチャンネルを示している。「開始時刻」、「終了時刻」は、番組（録画）の開始、終了時刻を示し、「番組名」は、録画対象の番組名を示している。
【００２７】
また、「終了時刻」、「番組名」は、受信取得した電子番組表を参照することによって得られた情報であり、また、「処理済みフラグ」は、現在放送受信中のテレビ番組をその最後まで継続して視聴し終わった場合にセットされたり、クレードル２００を介してテレビ受信レコーダ２０１に録画内容の再生を要求済みである場合にセットされるフラグである。「中止時刻」は、現在放送受信中のテレビ番組をその途中で中止した場合の中止時刻を示している。
【００２８】
図４は、クレードル２００の記憶部内に格納されている録画番組管理テーブルＲＥＴの内容を示した図である。
録画番組管理テーブルＲＥＴは、録画の指示元である携帯電話装置１００を特定する「端末ＩＤ」とテレビ受信レコーダ２０１側における録画ファイルの格納先を示す「番組ＩＤ」との対応関係を管理するもので、「端末ＩＤ」に対応して複数の「番組ＩＤ」を記憶可能な構成となっている。この場合、携帯電話装置１００から録画指示情報が発信出力される毎に、クレードル２００は、指示情報を受信してテレビ受信レコーダ２０１に録画指示を行う。テレビ受信レコーダ２０１は、この録画指示に応答して録画ファイルを新規生成したのち、該当チャンネルで放送されている番組をその終了時刻まで当該ファイルに録画する動作を開始する。その際、クレードル２００側では、この録画ファイルを示す「番組ＩＤ」をテレビ受信レコーダ２０１から取得し、該当する「端末ＩＤ」に対応付けて録画番組管理テーブルＲＥＴに追加登録するようにしている。
【００２９】
次に、この実施例における携帯電話装置１００の動作概念を図５〜図８に示すフローチャート、クレードル２００の動作を図９及び図１０に示すフローチャートを参照して説明する。ここで、これらのフローチャートに記述されている各機能は、読み取り可能なプログラムコードの形態で格納されており、このプログラムコードにしたがった動作が逐次実行される。また、伝送媒体を介して伝送されてきた上述のプログラムコードに従った動作を逐次実行することもできる。すなわち、記録媒体のほかに、伝送媒体を介して外部供給されたプログラム／データを利用してこの実施例特有の動作を実行することもできる。
【００３０】
図５〜図８は、電源投入に伴って実行開始される携帯電話装置１００の全体動作を示したフローチャートである。なお、以下、携帯電話装置１００の動作を説明しながらクレードル２００側の動作を図９及び図１０のフローチャートを参照して説明するものとする。
先ず、携帯電話装置１００においてＣＰＵ１は、電話通信部５を作動させて現在位置の登録応答を行うと共に、所定の待受画像を読み出して表示出力させながら電話／メールの待受状態となる（図５のステップＡ１）。この状態において、通話／メール着信有りを検出すると（ステップＡ２でＹＥＳ）、着信メロディなどを発生出力させる着信報知を行うと共に、通話あるいは受信メールの着信処理を実行する(ステップＡ３)。
【００３１】
また、この待受状態においてＣＰＵ１は、キー操作部１２上で何らかの操作が行われると（ステップＡ４でＹＥＳ）、テレビ放送の出力を指示するテレビＯＮキーが操作されたかをチェックし（ステップＡ５）、それ以外の操作であれば（ステップＡ５でＮＯ）、操作対応の処理として、例えば、通話発信、メール作成処理などが行われるが（ステップＡ１３）、テレビＯＮキーの操作であれば（ステップＡ５でＹＥＳ）、ステップＡ６に移り、テレビ放送受信チューナ１３を作動させて電子番組表を受信取得する。なお、現在日を含む電子番組表を前もって取得済みであれば、このステップＡ６はスキップされる。ここで、チャンネル選択操作が行われると（ステップＡ７）、電子番組表を参照して選択チャンネルで現在放送中である番組の終了時刻を取得する（ステップＡ８）。
【００３２】
そして、選択チャンネルで現在放送中の番組内容を出力させる出力指示を行ってその番組の映像データをメイン表示部１０から出力させると共に、音声データを内蔵スピーカ１４から出力させる（ステップＡ９）。このようにして任意のテレビ放送番組を視聴しているテレビ視聴中において、キー操作部１２上で何らかの操作が行われると（ステップＡ１０でＹＥＳ）、チャンネル変更指示操作であるかを調べ（ステップＡ１１）、この変更指示操作であれば、チャンネル変更処理を行ったのち（ステップＡ１２）変更後のチャンネルの放送番組を受信して出力させる（ステップＡ９）。
【００３３】
また、テレビ視聴中にチャンネル変更指示以外の操作が行われた場合には（ステップＡ１１でＮＯ）、図６のフローに移り、録画開始を指示する録画指示操作であるかを調べ（ステップＡ１５）、録画指示操作であれば、自己の「端末ＩＤ」、録画の「開始時刻」と共に、現在の「チャンネル」、「番組名」とその「終了時刻」を含む録画指示情報（指示メール）を生成し、この録画指示メールを移動体通信網、インターネットを介して自宅のクレードル２００宛に送信する（ステップＡ１６）。そして、この録画指示情報に基づいて指示レコードを新規生成して指示情報テーブルＩＮＴに追加登録したのち（ステップＡ１７）、図５のステップＡ１０に戻る。なお、「終了時刻」は、上述のステップＡ８で電子番組表から取得した情報であり、「開始時刻」は、ＲＴＣ１５から取得した現在時刻であり、「番組名」は、電子番組表から取得した情報である。
【００３４】
ここで、クレードル２００側では図９のフローチャートに示すように、携帯電話装置１００が装着（接続）されたかを監視したり（ステップＢ１）、携帯電話装置１００から移動体通信網、インターネットを介して送信される指示情報（指示メール）の有無を監視しており（ステップＢ２）、指示メールがあれば、図１０のフローに移り、録画開始指示か録画終了指示かを判別し（ステップＢ３）、録画開始指示情報であれば、それに含まれている「チャンネル」、「終了時刻」、「端末ＩＤ」を受信取得し（ステップＢ４）、テレビ受信レコーダ２０１に対して「チャンネル」、「終了時刻」を送信して録画開始を指示する（ステップＢ５）。この場合、テレビ受信レコーダ２０１側では、この録画指示に応答して録画ファイルを新規生成したのち、該当チャンネルで放送されている番組をその終了時刻まで当該ファイルに録画する動作を開始する。これによってクレードル２００側では、この録画ファイルを示す「番組ＩＤ」をテレビ受信レコーダ２０１から取得し、該当する「端末ＩＤ」に対応付けて録画番組管理テーブルＲＥＴに追加登録する（ステップＢ６）。
【００３５】
携帯電話装置１００側では、テレビ視聴中にその番組の録画開始を指示したのち、ユーザ操作によってこの録画の中止が指示された場合には（図６のステップＡ１８でＹＥＳ）、現在視聴中の「チャンネル」と、自己の「端末ＩＤ」を含む録画終了指示情報（指示メール）を生成し、この録画終了指示メールを移動体通信網、インターネットを介して自宅のクレードル２００宛に送信する（ステップＡ１９）。そして、録画中止の対象となった該当レコードを指示情報テーブルＩＮＴから削除したのち（ステップＡ２０）、図５のステップＡ１０に戻る。
【００３６】
クレードル２００側では、携帯電話装置１００からの指示情報（指示メール）が録画終了指示情報であれば（図１０のステップＢ３でＮＯ）、それに含まれている「チャンネル」、「端末ＩＤ」を受信取得し（ステップＢ７）、テレビ受信レコーダ２０１に対して「チャンネル」を送信して録画終了を指示する（ステップＢ８）。この場合、テレビ受信レコーダ２０１側では、この終了指示に応答して当該チャンネルの録画動作を終了する。
【００３７】
携帯電話装置１００側では、テレビ視聴中においてその視聴終了を指示するテレビＯＦＦキーが操作された場合には（図６のステップＡ２１でＹＥＳ）、指示情報テーブルＩＮＴを参照し、現在の放送番組の録画が指示済みであるか、つまり、該当する録画指示情報（指示レコード）が有るかを調べる（ステップＡ２２）。ここで、該当レコードが有って録画指示済みであれば、つまり、録画をそのまま継続するが、テレビ視聴を終了する場合には、現在時刻を「中止時刻」として取得して該当レコードの対応項目にセットしたのち（ステップＡ２３）、待受状態に戻る（図５のステップＡ１）。
【００３８】
一方、テレビ視聴中に何も操作されていない場合には（図５のステップＡ１０でＮＯ）、図７のフローに移り、現在時刻及び番組開始時刻を参照することによって同じ番組内容を所定時間継続して視聴したか、つまり、同一チャンネルの番組内容を視聴し始めてから１分間経過したかを調べる（ステップＡ２４）。ここで、１分間経過した際には、それ以降も継続視聴の蓋然性が高いために、ステップＡ２５に移り、指示情報テーブルＩＮＴを参照し、現在視聴中の番組の録画を指示済みであるかを調べ、指示済みでないことを条件に、当該番組の録画要否を問い合わせる確認メッセージを表示出力させる（ステップＡ２６）。
【００３９】
この確認メッセージ画面は、「録画する」、「録画しない」のメニュー項目を有し、その何れかの項目が選択指定されると（ステップＡ２７）、ＣＰＵ1は、この録画要否の選択内容を判別し（ステップＡ２８）、「録画しない」が選択されたときには、図５のステップＡ１０に戻るが、「録画する」が選択されたときには、図６のステップＡ１６に移り、録画指示情報を生成して自宅のクレードル２００宛に送信したり、指示情報テーブルＩＮＴに追加登録する（ステップＡ１７）。
【００４０】
また、テレビ視聴中において、通話の着信割込み有りを検出すると（図７のステップＡ２９でＹＥＳ）、着信報知を行ったのち（ステップＡ３０）、着信応答操作（オフフック操作）の有無をチェックし（ステップＡ３１）、応答操作無しの場合には、図５のステップＡ１０に戻るが、応答操作有り場合には、通信相手先との通話可能状態にセットする（ステップＡ３２）。そして、テレビ受信出力を中断したのち（ステップＡ３３）、指示情報テーブルＩＮＴを参照し、現在視聴中の番組の録画を指示済みであるかを調べる（ステップＡ３４）。この場合、録画指示済みであれば、回線遮断（通話終了）まで待機したのち（ステップＡ３５）、中断したテレビ受信出力を再開させるために図５のステップＡ９に戻るが、録画指示を行っていなければ（ステップＡ３４でＮＯ）、録画指示情報を生成して自宅のクレードル２００宛に送信すると共に（ステップＡ３６）、指示情報テーブルＩＮＴに追加登録する（ステップＡ３７）。そして、回線遮断まで待機したのち（ステップＡ３８）、中断したテレビ受信出力を再開させるために図５のステップＡ９に戻る。
【００４１】
更に、テレビ視聴中において、現在時刻がその番組の終了時刻に一致した場合には（図７のステップＡ３９でＹＥＳ）、言い換えれば、番組の最後まで視聴した場合には、指示情報テーブルＩＮＴを参照し、この番組の録画指示情報があるか（録画指示済みか）を調べ（ステップＡ４０）、録画指示が有れば、番組の最後まで継続して視聴し終わったことを示すために該当する指示情報に「処理済みフラグ」をセットしたのち（ステップＡ４１）、図５のステップＡ１０に戻る。
【００４２】
他方、待受状態においては、充電接続部１６からの充電検出信号に基づいて装置本体がクレードル２００に接続されたか否かを判別しており（図５のステップＡ１４）、クレードル２００に接続されたことを検出すると、図８のフローに移り、指示情報テーブルＩＮＴに録画指示情報が一つでも登録されているかを調べ（ステップＡ４２）、登録されている場合には、それに「処理済みフラグ」がセットされているか（未処理の指示情報であるか）を調べる（ステップＡ４３）。ここで、録画指示情報が無い場合（ステップＡ４２でＮＯ）あるいは登録されていても「処理済みフラグ」がセットされていれば（ステップＡ４３でＮＯ）、待受状態に戻るが（図５のステップＡ１）、指示情報が有ってそれに「処理済みフラグ」がリセットされている場合には、つまり、未処理の指示情報が有る場合には（ステップＡ４３でＹＥＳ）、以下、その再生を制御する処理に移る。
【００４３】
先ず、装置本体がクレードル２００に装着（接続）された場合に、スタイル検出センサ１７、１８からの検出信号に基づいて装置本体のスタイルを判別し、「ビュースタイル」の状態でクレードル２００に装着されたかを調べる（ステップＡ４４）。ここで、「ビュースタイル」以外のスタイルであれば（ステップＡ４４でＮＯ）、この録画内容をＴＶ視聴装置２０２側で再生出力させるために、指示情報テーブルＩＮＴから未処理の指示情報を一つ選択し（ステップＡ５５）、その「番組名」及び「端末ＩＤ」を含む再生要求をクレードル２００に送信したのち（ステップＡ５６）、その指示情報内に「処理済みフラグ」をセットしておく（ステップＡ５７）。そして、上述の待受状態に戻る（図５のステップＡ１）。
【００４４】
クレードル２００側では携帯電話装置１００の接続を検出すると（図９のステップＢ１でＹＥＳ）、充電動作を開始したのち（ステップＢ９）、携帯電話装置１００からの要求有無をチェックし（ステップＢ１０）、何れの要求も無ければ、ステップＢ１３に移り、携帯電話装置１００の接続が解除されたかを調べるが、接続中であれば、ステップＢ１０に戻り、以下、携帯電話装置１００の接続が解除されたり、携帯電話装置１００から要求が有るまで待機状態となる。ここで、携帯電話装置１００から何らかの要求を受け取った場合には（ステップＢ１０でＹＥＳ）、再生要求かをチェックする（ステップＢ１１）。
【００４５】
いま、再生要求を受け取った場合であるからステップＢ１２に移り、録画番組管理テーブルＲＥＴを参照して「端末ＩＤ」対応の「番組ＩＤ」を特定し、この「番組ＩＤ」で示される録画ファイルの再生出力をテレビ受信レコーダ２０１に対して指示する。この場合、テレビ受信レコーダ２０１側では、「番組ＩＤ」の録画ファイルの再生を開始し、その映像データをＴＶ視聴装置２０２から表示出力させる。そして、携帯電話装置１００の接続が解除されたかを調べ（ステップＢ１３）、携帯電話装置１００の接続が解除されたときには、ステップＢ１に戻るが、接続中のままであれば、携帯電話装置１００から他の要求有無をチェックする（ステップＢ１０）。
【００４６】
一方、携帯電話装置１００が「ビュースタイル」の状態でクレードル２００に装着された場合（図８のステップＡ４４でＹＥＳ）、指示情報テーブルＩＮＴから未処理の指示情報を全て指定してその「番組名」をリスト表示させる（ステップＡ４５）。この番組名の一覧画面の中から再生対象の番組が任意に選択されると（ステップＡ４６）、この選択番組対応の指示情報を参照し、それに「中止時刻」がセットされているかを調べる（ステップＡ４７）。ここで、「中止時刻」がセットされていなければ、上述のステップＡ４６で選択された「選択番組」と、この選択番組対応の指示情報から読み出した「端末ＩＤ」とを含む転送要求を作成してクレードル２００に送信するが（ステップＡ５０）、「中止時刻」がセットされていれば、つまり、録画しながら視聴していた番組をその途中で終了させたときには、ジャンプ時間を算出する処理に移る（ステップＡ４８）。
【００４７】
すなわち、該当する指示情報から「中止時刻」及び「開始時刻」を読み出すと共に、この「中止時刻」から「開始時刻」を減算した値をジャンプ時間として求める。このジャンプ時間は、録画内容をその途中から再生させる再生開始タイミングを示すもので、録画開始時点からジャンプ時間に相当する内容をスキップさせた時点を再生開始タイミングとする。例えば、図１１に示すように、「開始時刻」が“１２時００分”、「中止時刻」が“１２時１５分”とすると、ジャンプ時間は“１５分”となり、録画ファイルの先頭位置から“１５分”経過時点が再生開始位置となる。そして、ＣＰＵ1は、この「ジャンプ時間」と、上述のステップＡ４６で選択された「選択番組」と、この選択番組対応の指示情報から読み出した「端末ＩＤ」とを含む転送要求を作成してクレードル２００に送信する（ステップＡ４９）。
【００４８】
ここで、クレードル２００側では携帯電話装置１００が接続されている状態において、携帯電話装置１００から転送要求を受け取ると（図９のステップＢ１１でＮＯ）、その転送要求の中に「ジャンプ時間」が含まれているかを調べ（ステップＢ１４）、「ジャンプ時間」が含まれていれば、つまり、録画しながら視聴していた番組をその途中で終了させた場合であるからステップＢ１５に移り、録画番組管理テーブルＲＥＴを参照して「端末ＩＤ」対応の「番組ＩＤ」を特定し、この「番組ＩＤ」で示される録画ファイルの転送要求をテレビ受信レコーダ２０１に対して行うが、この場合、「ジャンプ時間」だけ経過した録画内容の転送を要求する。ここで、テレビ受信レコーダ２０１側では、この転送要求に応答して録画ファイルの先頭から「ジャンプ時間」に相当する位置以降の録画内容をクレードル２００に送信する。
【００４９】
また、転送要求の中に「ジャンプ時間」が含まれていなければ（ステップＢ１４でＮＯ）、録画番組管理テーブルＲＥＴを参照して「端末ＩＤ」対応の「番組ＩＤ」を特定し、この「番組ＩＤ」で示される録画ファイルの転送要求をテレビ受信レコーダ２０１に対して行う（ステップＢ１７）。この場合、テレビ受信レコーダ２０１側では、この転送要求に応答して録画ファイル内容をクレードル２００に送信する。そして、クレードル２００側では、テレビ受信レコーダ２０１側から送信された録画内容を要求元の携帯電話装置１００にそのまま転送する（ステップＢ１６）。
【００５０】
携帯電話装置１００側では、上述のようにして転送要求を送信したのち、クレードル２００を介してテレビ受信レコーダ２０１から録画内容をダウンロード受信すると（図８のステップＡ５１）、指示情報テーブルＩＮＴ内の対応する指示情報内に「処理済みフラグ」をセットしておく（ステップＡ５２）。そして、ユーザ操作によって再生開始が指示されたかを調べ（ステップＡ５３）、再生開始が指示された際には、それに応答して録画内容の再生を開始し、その映像データをメイン表示部１０から出力させると共に、音声データを内蔵スピーカ１４から出力させる（ステップＡ５４）。なお、再生終了後は、上述の待受状態に戻る（図５のステップＡ１）。
【００５１】
以上のように、この実施例においては、携帯電話装置１００からテレビ受信レコーダ２０１宛に放送内容の録画を指示した際に、当該携帯電話装置１００側の指示情報テーブルＩＮＴにその指示情報を記憶保持しておき、この携帯電話装置１００をそのクレードル２００に装着するだけで、当該携帯電話装置１００自体がその指示情報を元に対応する録画内容の転送を要求して再生すると共に、当該指示情報を処理済み（再生済み）とするようにしたから、携帯電話装置１００の主導のもとで録画内容の再生を制御することができ、操作性、確実性を高めることが可能となる。この場合、録画指示を行っていない携帯電話装置がクレードル２００に接続されたとしても、録画内容が転送されることはなく、また、再生済みの録画内容が無駄に転送されることもない。
【００５２】
この場合、録画指示情報を発信出力は、ユーザ操作によってテレビ放送の録画が指示された場合のほか、同じ番組を１分間継続して視聴したとき、テレビ放送の受信出力中に通話着信を割込み受信したときであり、適切なタイミングで録画指示情報を発信出力することができる。また、録画指示情報は、録画対象である「チャンネル」、「番組名」のほか、自己の「端末ＩＤ」を含む情報であり、どの携帯電話装置１００からの指示であるかの指示元を明示することができる。
【００５３】
録画内容の転送要求をテレビ受信レコーダ２０１に対して行う際に、指示情報テーブルＩＮＴを参照し、その録画内容に対応する指示情報内の「処理済みフラグ」がリセットされている未処理の指示情報であることを条件にその転送要求を行うようにしたから、再生済みあるいは視聴済みの録画内容の転送を除くことができ、重複再生・視聴を防ぐことができる。この場合、未処理の録画内容を再生するか否かを問い合わせる確認メッセージを表示出力させたのち、未処理の録画内容が任意に選択されたことを条件にその録画内容の転送を要求するようにしたから、ユーザの意向を反映させることが可能となる。
【００５４】
現在放送されている番組の録画を指示する録画指示情報を発信出力したのち、この番組の放送中にその記録中止がユーザ操作によって指示された際に、テレビ受信レコーダ２０１宛にその録画終了を指示するようにしたから、録画をその途中で何時でも自由に止めることができる。また、現在放送されている番組の録画を指示する録画指示情報を発信出力したのち、この番組の放送中にその受信終了が指示された場合には、この終了指示以降（ジャンプ時間以降）の録画内容の転送を要求するようにしたから、未視聴分の再生が可能となる。
【００５５】
放送番組表を参照することによって同じ放送番組の内容をその最後まで継続視聴した場合には、この録画内容に対応する録画指示情報に「処理済みフラグ」をセットするようにしたから、最後まで視聴した番組を再生不要な番組とすることができる。また、現在放送受信中の番組内容の録画を指示する際に、放送番組表から取得した当該番組の終了時刻を録画指示情報に付加して発信するようにしたから、テレビ受信レコーダ２０１の録画開始／終了を携帯電話装置１００側で制御することが可能となる。
【００５６】
テレビ受信レコーダ２０１に接続されたことが検出された際に、装置本体が「ビュースタイル」にセットされているか否かを判別し、この「ビュースタイル」であれば、テレビ受信レコーダ２０１から転送された録画内容を再生出力し、それ以外のスタイルであれば、テレビ受信レコーダ２０１に対して録画内容の再生を要求するようにしたから、装置本体のスタイルに応じて携帯電話側での再生とレコーダ側での再生を容易に切り替えることが可能となる。
【００５７】
なお、上述した実施例においては、「端末ＩＤ」、「録画開始時刻」、「チャンネル」、「番組名」、「番組終了時刻」を含む録画指示情報（指示メール）を生成してクレードル２００に送信するようにしたが、録画指示情報の内容はこれに限らず、任意であり、例えば、現在視聴中の「チャンネル」だけでもよい。また、現在視聴中の「番組名」あるいは録画予約の「番組名」だけでもよい。この場合、クレードル２００側では受信取得した電子番組表を参照して録画指示情報内の「番組名」から録画対象を特定するようにしてもよい。
【００５８】
また、クレードル２００側では、複数の携帯電話装置１００から同一番組の録画指示を受けた場合には、この録画途中で何れかの携帯電話装置１００から録画終了指示を受けたとしても、その録画終了をテレビ受信レコーダ２０１には指示しないようにしてもよい。この場合、録画指示を行った全ての携帯電話装置１００から録画終了指示を受けたときには、その最終指示に応答して録画終了をテレビ受信レコーダ２０１に指示するようにしてもよい。
【００５９】
また、上述した実施例においては、特に言及しなかったが、テレビ受信レコーダ２０１側では高画質のハイビジョン放送を受信するが、この高画質の映像データを携帯電話装置の画面に応じた携帯電話向けのデータに変換する際に、そのデータ変換をクレードル２００側で行うようにしてもよい。すなわち、クレードル２００は、テレビ受信レコーダ２０１からの送信された録画内容（高画質データ）を携帯電話向けデータに変換して携帯電話装置１００に転送するようにしてもよい。また、通話の着信割込みに応答して現在の放送番組の受信出力を中断してその番組の録画を開始させた場合、この中断期間中の録画内容だけを再生出力するようにしてもよい。
【００６０】
上述した実施例においては、指示情報テーブルＩＮＴのレコード項目として「処理済みフラグ」を設けたが、「処理済みフラグ」をセットする変わりに、指示情報テーブルＩＮＴから指示情報自体を削除するようにしてもよい。
また、上述した実施例においては、図９及び図１０に示したクレードル２００側の動作をテレビ受信レコーダ２０１側で行うようにしてよい。つまり、上述した実施例は、クレードル２００付きのテレビ受信レコーダ２０１を示したが、図９及び図１０に示したクレードル２００側の機能をテレビ受信レコーダ２０１側に組み込むようにしてもよい。
【００６１】
また、上述した実施例においては、テレビ機能付きの携帯電話装置を例示したが、ラジオ放送の番組内容を受信して出力するラジオ機能付きの携帯電話装置であってもよい。その他、携帯電話装置に限らず、例えば、放送電波を受信する放送受信機能付きＰＤＡ・電子カメラ・電子腕時計・音楽再生機などの携帯端末装置であっても同様に適用可能である。
【図面の簡単な説明】
【００６２】
【図１】携帯端末装置として適用した携帯電話装置の基本的な構成要素を示したブロック図。
【図２】携帯電話装置１００をクレードル２００に装着することによってクレードル２００を介してテレビ受信レコーダ２０１に接続した状態を示した図。
【図３】指示情報テーブルＩＮＴの内容を示した図。
【図４】クレードル２００の記憶部内に格納されている録画番組管理テーブルＲＥＴの内容を示した図。
【図５】電源投入に伴って実行開始される携帯電話装置１００の全体動作を示したフローチャート。
【図６】図５に続く、フローチャート。
【図７】図５に続く、フローチャート。
【図８】図５に続く、フローチャート。
【図９】クレードル２００の動作を示したフローチャート。
【図１０】図９に続く、フローチャート。
【図１１】ジャンプ時間に基づいて録画内容をその途中から再生させる場合の再生開始タイミングを説明するための図。
【符号の説明】
【００６３】
１  ＣＰＵ
２  記憶部
５  電話通信部
１０  表示部
１２  キー操作部
１３  テレビ放送受信チューナ
１４  内蔵スピーカ
１５  ＲＴＣ
１６  充電接続部
１７、１８  スタイル検出センサ
ＩＮＴ  指示情報テーブル
１００  携帯電話装置
２００  クレードル
２０１  テレビ受信レコーダ
ＲＥＴ  録画番組管理テーブル
【図１】
0004593524.tif 000002
【図２】
0004593524.tif 000003
【図３】
0004593524.tif 000004
【図４】
0004593524.tif 000005
【図５】
0004593524.tif 000006
【図６】
0004593524.tif 000007
【図７】
0004593524.tif 000008
【図８】
0004593524.tif 000009
【図９】
0004593524.tif 000010
【図１０】
0004593524.tif 000011
【図１１】
0004593524.tif 000012